(57)【要約】【課題】空気は通過するが花粉は通過しない花粉除けスクリーンを枠体にピンと張った状態で綺麗に張設する。【解決手段】枠体１１の内周に、内向き突縁１９により口部を狭窄化した係止用溝１８が形成され、防虫用ネット１２及び花粉除けスクリーン１３が重ねられた状態で、押さえ部材１４と共に該係止用溝１８に押入される。押さえ部材１４には、その脚部１６の先端に斜面１６ｂを有する係止突部１６ａが形成されており、押さえ部材１４の係止突部が係止用溝の内向き突縁１９に係止され、押さえ部材１４、防虫用ネット１２及び花粉除けスクリーン１３が確実に係止される。【選択図】図３
2007197978.tif 000002
【特許請求の範囲】
【請求項１】
方形の枠体の一面の内周に、内向き突縁により口部を狭窄化した係止用溝が形成され、該枠体の上記一面に防虫用ネットが外接され、花粉を殆ど透過させないメッシュの花粉防けスクリーンが該防虫用ネットに重ねられ、上記防虫用ネットと花粉防けスクリーンが重ねられた状態で、それらが押さえ部材と共に上記係止用溝への押入により固定されている花粉防け網戸であって、
上記押さえ部材は、係止用溝を覆う覆板に、該係止用溝に対してその内向き突縁にそれぞれ圧接する状態で嵌る２条の弾性変形可能な脚部を備えることにより構成され、
該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備える、
ことを特徴とする花粉防け網戸。
【請求項２】
請求項１に記載の網戸における花粉防けスクリーンを張設する方法であって、次の工程（ａ）ないし（ｅ）を含む方法。
（ａ）  枠体上に、防虫用ネットを該枠体側に配置し、その上側に花粉除けスクリーンを重ねる工程。
（ｂ）  重ねられた防虫用ネット及び花粉除けスクリーンを押さえ部材で押圧し、係止用溝の内向き突縁の先端と押さえ部材の脚部先端における上記係止突部の斜面との間に上記ネット及びスクリーンを挟んで、該ネット及びスクリーンの係止用溝への押入部位を位置決めする工程。
（ｃ）  方形の枠体の対辺において防虫用ネット及び花粉除けスクリーンが押さえ部材により係止用溝に固定されていない場合には、上記位置決めが行われた状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺が係止用溝に固定されている場合には、枠体上に防虫用ネット及び花粉除けスクリーンを平坦に敷設した状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺側のネット及びスクリーンの上記引き込みにより、防虫用ネット及び花粉除けスクリーンに張りをもたせた状態に押さえ部材を押入する工程。
（ｄ）  押さえ部材の係止突部を係止用溝の内向き突縁の内側まで押入し、押さえ部材の係止突部の係止縁を係止用溝の内向き突縁の内側に係止する工程。
（ｅ）  押さえ部材の外側にある防虫用ネット及び花粉除けスクリーンの端部を切除する工程。
【請求項３】
請求項２に記載の方法において、枠体上に防虫用ネット及び花粉除けスクリーンを平坦に敷設する際の該ネット及びスクリーンの引き延ばし状態により、最終的な上記ネット及びスクリーンの張設状態を設定する、
ことを特徴とする網戸における花粉防けスクリーンの張設方法。
【発明の詳細な説明】
【技術分野】
【０００１】
本発明は、建物開口部に配設するための花粉除けスクリーンを張設した花粉除け網戸及びそのスクリーンの張設方法に関する。
【背景技術】
【０００２】
近年、杉、檜、豚草など各種の植物の花粉が蔓延するようになり、これらの花粉に触れて花粉症に悩ませられる人が多くなった。
花粉症を予防する一つの手段として、建築物の内部に花粉を入れないようにすることが考えられる。しかし、窓などの建物開口部を締め切った儘では、建築物の内部の空気が汚れ、酸素不足になるおそれがある。そこで、空気は通過するが花粉は殆ど通過しないメッシュの花粉除けスクリーンを建物開口部に配設して、建築物の内部に花粉を除去した外気を導入することが提案され、その花粉除けスクリーンが市販されている（例えば、特許文献１参照）。
【０００３】
上記特許文献１の花粉除けスクリーンは、空気を通過させるが花粉は通過させないメッシュを有するもので、熱可塑性ポリマー（ポリエステル）からなるモノフィラメントが経糸及び緯糸として配され、そのメッシュ数が１５０〜２５０（本／２．５４ｃｍ）の織物によって構成されたものであるが、フィラメントの繊度が細く、生地が薄いため、織物の引裂強度が弱いという問題があるばかりでなく、既知の防虫網戸における防虫用ネットに比してメッシュが非常に細かいので、必然的に表面が平滑で、織物自体が柔軟になって、他物との摩擦力も小さくなり、表面が滑りやすい状態になっている。また、生地が薄いので傷が付きやすく、大きな外力が作用すると破損するおそれもある。
【０００４】
そこで、本発明者らは、防虫網戸に用いられているアルミニウムの枠体に、防虫用ネットを張設する要領で該花粉除けスクリーンを張設しようとしたが、該スクリーンの織物は防虫用ネットに比して非常に滑りやすいので、ピンと綺麗に張ることができないばかりでなく、簡単に外れることがわかった。
具体的には、既知のゴム紐状の押さえ部材を用いて、上記花粉除けスクリーンを網戸の枠体の係止用溝への押入により張設した場合には、該花粉除けスクリーンの織物が非常に滑りやすいので、張設した該スクリーンに外力が作用すると、簡単に抜け出し、あるいは押さえ部材と共に係止用溝から外れてしまった。なお、図５の断面形状をもつ他の押さえ部材２０等についても同様であった。
【０００５】
そのため、花粉除けスクリーンの滑りを抑えるべく、また補強効果も期待して、防虫用ネットに花粉除けスクリーンを重ね、該防虫ネットを枠体側にしてゴム紐状の押さえ部材により枠体の係止用溝に押入することを試みた。この場合には、防虫ネット及び花粉除けスクリーンを重ねた状態で一応の固定を行うことができたが、押さえ部材をネット及びスクリーンと共に係止用溝に押入するとき、係止用溝の対向する内向き突縁の両側先端に均等に押圧力を作用させることは困難であって、いずれか一方の突縁側に強く当たりやすく、その場合にはゴム紐状の押さえ部材が強く当たっている部分を中心にして回転してねじれが生じ、このねじれが生じた場合、ゴム紐状の押さえ部材とスクリーンとの間の摩擦力がネットとスクリーンとの間の摩擦力よりも大きいので、ネットに対してスクリーンが相対移動しやすく、それが原因でスクリーンにしわが生じやすく、防虫ネットはピンと綺麗に張れても、花粉除けスクリーンにはしわが生じることがわかった。
【０００６】
また、上記防虫ネット及び花粉除けスクリーンの張設後においても、花粉除けスクリーンに対してそれを係止用溝から抜き出す方向の力が作用すると、該スクリーンに作用する力によりゴム紐状の押さえ部材が係止用溝内で回転し、結果的に花粉除けスクリーンにしわが生じることになり、ピンと綺麗に張った状態を安定的に保持することができない。
【特許文献１】登録実用新案第３０９９７０９号公報
【発明の開示】
【発明が解決しようとする課題】
【０００７】
本発明は、空気は通過するが花粉は殆ど通過さないメッシュの花粉除けスクリーンを枠体に綺麗に、しかも安定的に張設することを課題とするものである。
【課題を解決するための手段】
【０００８】
上記課題を解決するための本発明に係る花粉除け網戸は、方形の枠体の一面の内周に、内向き突縁により口部を狭窄化した係止用溝が形成され、該枠体の上記一面に防虫用ネットが外接され、花粉を殆ど透過させないメッシュの花粉防けスクリーンが該防虫用ネットに重ねられ、上記防虫用ネットと花粉防けスクリーンが重ねられた状態で、それらが押さえ部材と共に上記係止用溝への押入により固定されている花粉防け網戸であって、上記押さえ部材は、係止用溝を覆う覆板に、該係止用溝に対してその内向き突縁にそれぞれ圧接する状態で嵌る２条の弾性変形可能な脚部を備えることにより構成され、該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備えることを特徴とするものである。
【０００９】
また、上記課題を解決するための本発明に係る花粉防けスクリーンの張設方法は、上述した花粉防け網戸においてスクリーンを張設するに際し、次の工程（ａ）ないし（ｅ）を含むことを特徴とするものである。
（ａ）  枠体上に、防虫用ネットを該枠体側に配置し、その上側に花粉除けスクリーンを重ねる工程。
（ｂ）  重ねられた防虫用ネット及び花粉除けスクリーンを押さえ部材で押圧し、係止用溝の内向き突縁の先端と押さえ部材の脚部先端における上記係止突部の斜面との間に上記ネット及びスクリーンを挟んで、該ネット及びスクリーンの係止用溝への押入部位を位置決めする工程。
【００１０】
（ｃ）  方形の枠体の対辺において防虫用ネット及び花粉除けスクリーンが押さえ部材により係止用溝に固定されていない場合には、上記位置決めが行われた状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺が係止用溝に固定されている場合には、枠体上に防虫用ネット及び花粉除けスクリーンを平坦に敷設した状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺側のネット及びスクリーンの上記引き込みにより、防虫用ネット及び花粉除けスクリーンに張りをもたせた状態に押さえ部材を押入する工程。
（ｄ）  押さえ部材の係止突部を係止用溝の内向き突縁の内側まで押入し、押さえ部材の係止突部の係止縁を係止用溝の内向き突縁の内側に係止する工程。
（ｅ）  押さえ部材の外側にある防虫用ネット及び花粉除けスクリーンの端部を切除する工程。
【００１１】
上記方法においては、枠体上に防虫用ネット及び花粉除けスクリーンを平坦に敷設する際の該ネット及びスクリーンの引き延ばし状態により、最終的な上記ネット及びスクリーンの張設状態を設定することができる。
【００１２】
上述した花粉除け網戸においては、押さえ部材が、係止用溝の内向き突縁にそれぞれ圧接する状態で嵌る２条の弾性変形可能な脚部を備え、該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備え、この押さえ部材が、特に防虫用ネット及び花粉除けスクリーンを重ねて張設する場合にそれらの固定に有効に機能するので、薄くて滑りやすいことから張設が困難である花粉除けスクリーンを、しわがなくピンと張った状態に綺麗に張ることができる。
【発明の効果】
【００１３】
本発明では、空気は通過するが花粉は殆ど通過さないメッシュの花粉除けスクリーンを枠体にピンと張った状態に綺麗に張設することができ、しかも、張設後に該スクリーンに外力が作用してもしわが生じることがない。
【発明を実施するための最良の形態】
【００１４】
図１及び図２は、本発明に係る花粉除け網戸の実施例を示している。この網戸は、窓枠などの建物開口部に固定的に、あるいは摺動自在に配設されるものである。
上記網戸は、四辺を構成するアルミニウム製の横枠部材１１ａ及び縦枠部材１１ｂにより方形に形成された枠体１１と、該枠体１１に張設された防虫用ネット１２及び花粉除けスクリーン１３と、該ネット１２及びスクリーン１３を枠体１１に固定するための押さえ部材１４とを備えている。上記防虫用ネット１２は、ポリエステル繊維あるいはポリプロピレン繊維等を用い、平織あるいはラッセル織により形成されたものであり、また、上記花粉除けスクリーン１３は、前記特許文献１に記載されているところの花粉を殆ど透過させないメッシュを有する織物である。いずれも、各種の布と同様に、引張により若干の伸びを示すものである。
【００１５】
上記枠体１１を構成する横枠部材１１ａ及び縦枠部材１１ｂには、その一面の内周側に形成した凹段部に係止用溝１８が形成されている。この係止用溝１８は、その口部が左右一対の内向き突縁１９により狭窄化されたものである。そして、上記防虫用ネット１２及び花粉除けスクリーン１３は、該枠体１１の係止用溝１８を設けた一面上に防虫用ネット１２を外接させ、花粉防けスクリーン１３が該防虫用ネット１２に重ねられ、それらが重ねられた状態で押さえ部材１４と共に係止用溝１８に押入され、枠体１１の前面に防虫用ネット１２及び花粉除けスクリーン１３が重ねられた状態で張設される。なお、上記係止用溝１８及び押さえ部材１４としては、防虫網戸として使用されているサイズのものが適している。
【００１６】
上記押さえ部材１４は、合成樹脂の押出し成形により形成され、図４に示すように、係止用溝１８を覆う覆板１５に、該係止用溝１８に対してその内向き突縁１９にそれぞれ先端部が圧接する状態で嵌る２条（一対）の弾性変形可能な脚部１６を一体的に備えることにより構成されたものである。そして、該脚部１６には、その先端部外側に、上記係止用溝１８への押入時に該係止用溝１８の内向き突縁１９の先端に接する斜面１６ｂを有し、且つ、該押さえ部材１４の係止用溝１８への押入完了時に上記突縁１９の内側に係止する係止縁１６ｃを有する係止突部１６ａを備えている。
【００１７】
次に、上記花粉除け網戸における押さえ部材１４の作用を、花粉除けスクリーンの張設方法と共に説明する。
上述した花粉防け網戸において花粉除けスクリーン１３を張設するに際しては、前述した工程（ａ）ないし（ｅ）を含む作業を行うことになる。それを更に具体的に説明すると、まず、枠体１１上に、防虫用ネット１２を載置し、その上に花粉除けスクリーン１３を重ねて載置する。
【００１８】
次いで、押さえ部材１４を一つの係止用溝１８上において重ねられた防虫用ネット１２及び花粉除けスクリーン１３の上に置き、上記ネット１２及びスクリーン１３を押さえ部材１４で係止用溝１８に対して押圧する。これにより、係止用溝１８の内向き突縁１９の先端と押さえ部材１４の脚部１６の先端における上記係止突部１６ａの斜面１６ｂとの間に上記ネット１２及びスクリーン１３が挟まれ、そのため、該ネット１２及びスクリーン１３の係止用溝１８への押入部位が位置決めされる。
【００１９】
そして、方形の枠体１１の対辺において防虫用ネット１２及び花粉除けスクリーン１３が押さえ部材１４により係止用溝１８に固定されていない場合には、上記位置決めが行われた状態で、係止用溝１８の内向き突縁１９と押さえ部材１４の斜面１６ｂとの間に挟まれた押入部位を、押さえ部材１４の２条の脚部１６の先端に当接保持させたまま、その押入部位の両側部分を係止用溝１８に引き込ませながら押さえ部材１４を係止用溝１８に押入する。
【００２０】
一方、上記対辺が係止用溝１８に固定されている場合には、枠体１１上に防虫用ネット１２及び花粉除けスクリーン１３を平坦に敷設した状態で、具体的には、該ネット１２及びスクリーン１３に格別の張りを与えることなく、しかしながら、過大な弛みも与えることなく、軽く引き延ばした状態で、係止用溝１８上においてスクリーン１３上に押さえ部材１４の脚部１６を押当て、係止用溝１８の内向き突縁１９と押さえ部材１４の斜面１６ｂとの間に挟まれたネット１２及びスクリーン１３の押入部位を、押さえ部材１４の２条の脚部先端に当接保持させたまま、その押入部位の両側部分を係止用溝１８に引き込ませながら押入する。
【００２１】
この押さえ部材１４の押入時には、防虫用ネット１２及び花粉除けスクリーン１３に張りを与える必要があるが、この張りは、押さえ部材１４の係止用溝１８に対する押入で、先に固定されている対辺側のネット１２及びスクリーン１３を引き込むことにより与えられるものである。したがって、押さえ部材１４の押入に際して、上述したネット１２及びスクリーン１３を平坦に敷設し、軽く引き延ばした状態とは、ネット１２及びスクリーン１３に上記押さえ部材１４による引き込み分の余裕を与えた状態である。但し、上記ネット１２及びスクリーン１３は若干の伸びを与えた状態で張設するので、上記余裕は押さえ部材１４による引き込み分よりも伸びの分だけ短いものでよい。そして、ネット１２及びスクリーン１３の実際の張設作業において、該ネット１２及びスクリーン１３を軽く引き延ばした状態で最終的に適度な張りを与え得ることを確かめている。
【００２２】
なお、上記ネット１２及びスクリーン１３の張設に際しては、枠体１１上に防虫用ネット１２及び花粉除けスクリーン１３を軽く引き延ばして平坦に敷設するが、その際の該ネット１２及びスクリーン１３の引き延ばし状態により、最終的な上記ネット１２及びスクリーン１３の張設状態を設定することができる。
【００２３】
このように、防虫用ネット１２及び花粉除けスクリーン１３に張りをもたせた状態に押さえ部材１４で固定するためには、該押さえ部材１４は、ネット１２及びスクリーン１３が係止用溝１８と直交する方向にずれるのを許容しないものであることが必要である。そのため、押さえ部材１４の脚部１６には、上記係止用溝１８への押入時に該係止用溝１８の内向き突縁１９の先端に接する斜面１６ｂを設けて、押さえ部材１４の押入時におけるネット１２及びスクリーン１３のずれ動きを防止し、更に、該押さえ部材１４の係止用溝１８への押入完了時に上記突縁１９の内側に係止する係止縁１６ｃを設けて、係止突部１６ａを係止用溝１８の内向き突縁１９の内側まで押入したとき、上記係止縁１６ｃが該内向き突縁１９の内側に係止するようにしている。
【００２４】
このような張設作業の結果、上記ネット１２及びスクリーン１３は緊張状態で綺麗に張ることができ、張設後に多少の外力が作用しても、しわになることはない。
そして、枠体１１の四周についての押さえ部材１４による固定を行ったうえで、押さえ部材１４の外側にある防虫用ネット１２及び花粉除けスクリーン１３の端部を切除することにより、それらの張設作業が完了する。
【００２５】
上記押さえ部材１４の脚部１６の動作についての説明を補足すると、該脚部１６を係止用溝１８に押入するときには、押さえ部材１４の係止突部１６ａの斜面１６ｂが、ネット１２及びスクリーン１３を介して係止用溝１８の内向き突縁１９の先端に当接し、押さえ部材１４に加わる押圧力により押さえ部材１４の脚部１６が内側に弾性変形しながら押入される。脚部１６の係止突部１６ａの全体が係止用溝１８の内向き突縁１９の内側を通過すると、脚部１６がほぼ元の形に戻り、上記係止縁１６ｃが係止用溝１８の内向き突縁１９の内側にネット１２及びスクリーン１３を介して係止され、押さえ部材１４の抜け出しが防止される。
【００２６】
以上に述べたところから明らかなように、上記花粉除け網戸においては、防虫ネット１２に花粉除けスクリーン１３を重ねて網戸の枠体１１に張設するに際し、係止用溝１８の内向き突縁１９にそれぞれ圧接する状態で嵌る一対の弾性変形可能な脚部１６の先端部外側に、上記係止用溝１８への押入時に係止用溝１８の内向き突縁１９の先端に接する斜面１６ｂを有し、且つ、押さえ部材１４の係止用溝１８への押入完了時に上記突縁１９の内側に係止する係止縁１６ｃを有する係止突部１６ａを備える押さえ部材１４を用いているので、該ネット１２及びスクリーン１３を容易にピンと張った状態に綺麗に張設することができる。
【図面の簡単な説明】
【００２７】
【図１】本発明に係る花粉除け網戸の実施例の分解斜視図である。
【図２】上記実施例の一部正面図である。
【図３】図３における矢印Ａ方向に見た断面図である。
【図４】上記実施例における押さえ部材の断面図である。
【図５】テストに供した押さえ部材の断面図である。
【符号の説明】
【００２８】
１１    枠体
１２    防虫用ネット
１３    花粉除けスクリーン
１４    押さえ部材
１８    係止用溝
【図１】
2007197978.tif 000003
【図２】
2007197978.tif 000004
【図３】
2007197978.tif 000005
【図４】
2007197978.tif 000006
【図５】
2007197978.tif 000007
【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
方形の枠体の一面の内周に、内向き突縁により口部を狭窄化した係止用溝が形成され、該枠体の上記一面に防虫用ネットが外接され、花粉を殆ど透過させないメッシュの花粉除けスクリーンが該防虫用ネットに重ねられ、上記防虫用ネットと花粉除けスクリーンが重ねられた状態で、それらが押さえ部材と共に上記係止用溝への押入により固定されている花粉除け網戸であって、
上記押さえ部材は、係止用溝を覆う覆板に、該係止用溝に対してその内向き突縁にそれぞれ圧接する状態で嵌る２条の弾性変形可能な脚部を備えることにより構成され、
該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備える、
ことを特徴とする花粉除け網戸。
【請求項２】
請求項１に記載の網戸における花粉除けスクリーンを張設する方法であって、次の工程（ａ）ないし（ｅ）を含む方法。
（ａ）  枠体上に、防虫用ネットを該枠体側に配置し、その上側に花粉除けスクリーンを重ねる工程。
（ｂ）  重ねられた防虫用ネット及び花粉除けスクリーンを押さえ部材で押圧し、係止用溝の内向き突縁の先端と押さえ部材の脚部先端における上記係止突部の斜面との間に上記ネット及びスクリーンを挟んで、該ネット及びスクリーンの係止用溝への押入部位を位置決めする工程。
（ｃ）  方形の枠体の対辺において防虫用ネット及び花粉除けスクリーンが押さえ部材により係止用溝に固定されていない場合には、上記位置決めが行われた状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺が係止用溝に固定されている場合には、枠体上に防虫用ネット及び花粉除けスクリーンを平坦に敷設した状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺側のネット及びスクリーンの上記引き込みにより、防虫用ネット及び花粉除けスクリーンに張りをもたせた状態に押さえ部材を押入する工程。
（ｄ）  押さえ部材の係止突部を係止用溝の内向き突縁の内側まで押入し、押さえ部材の係止突部の係止縁を係止用溝の内向き突縁の内側に係止する工程。
（ｅ）  押さえ部材の外側にある防虫用ネット及び花粉除けスクリーンの端部を切除する工程。
【請求項３】
請求項２に記載の方法において、枠体上に防虫用ネット及び花粉除けスクリーンを平坦に敷設する際の該ネット及びスクリーンの引き延ばし状態により、最終的な上記ネット及びスクリーンの張設状態を設定する、
ことを特徴とする網戸における花粉除けスクリーンの張設方法。
【手続補正２】
【補正対象書類名】明細書
【補正対象項目名】全文
【補正方法】変更
【補正の内容】
【発明の詳細な説明】
【技術分野】
【０００１】
本発明は、建物開口部に配設するための花粉除けスクリーンを張設した花粉除け網戸及びそのスクリーンの張設方法に関する。
【背景技術】
【０００２】
近年、杉、檜、豚草など各種の植物の花粉が蔓延するようになり、これらの花粉に触れて花粉症に悩ませられる人が多くなった。
花粉症を予防する一つの手段として、建築物の内部に花粉を入れないようにすることが考えられる。しかし、窓などの建物開口部を締め切った儘では、建築物の内部の空気が汚れ、酸素不足になるおそれがある。そこで、空気は通過するが花粉は殆ど通過しないメッシュの花粉除けスクリーンを建物開口部に配設して、建築物の内部に花粉を除去した外気を導入することが提案され、その花粉除けスクリーンが市販されている（例えば、特許文献１参照）。
【０００３】
上記特許文献１の花粉除けスクリーンは、空気を通過させるが花粉は通過させないメッシュを有するもので、熱可塑性ポリマー（ポリエステル）からなるモノフィラメントが経糸及び緯糸として配され、そのメッシュ数が１５０〜２５０（本／２．５４ｃｍ）の織物によって構成されたものであるが、フィラメントの繊度が細く、生地が薄いため、織物の引裂強度が弱いという問題があるばかりでなく、既知の防虫網戸における防虫用ネットに比してメッシュが非常に細かいので、必然的に表面が平滑で、織物自体が柔軟になって、他物との摩擦力も小さくなり、表面が滑りやすい状態になっている。また、生地が薄いので傷が付きやすく、大きな外力が作用すると破損するおそれもある。
【０００４】
そこで、本発明者らは、防虫網戸に用いられているアルミニウムの枠体に、防虫用ネットを張設する要領で該花粉除けスクリーンを張設しようとしたが、該スクリーンの織物は防虫用ネットに比して非常に滑りやすいので、ピンと綺麗に張ることができないばかりでなく、簡単に外れることがわかった。
具体的には、既知のゴム紐状の押さえ部材を用いて、上記花粉除けスクリーンを網戸の枠体の係止用溝への押入により張設した場合には、該花粉除けスクリーンの織物が非常に滑りやすいので、張設した該スクリーンに外力が作用すると、簡単に抜け出し、あるいは押さえ部材と共に係止用溝から外れてしまった。なお、図５の断面形状をもつ他の押さえ部材２０等についても同様であった。
【０００５】
そのため、花粉除けスクリーンの滑りを抑えるべく、また補強効果も期待して、防虫用ネットに花粉除けスクリーンを重ね、該防虫ネットを枠体側にしてゴム紐状の押さえ部材により枠体の係止用溝に押入することを試みた。この場合には、防虫ネット及び花粉除けスクリーンを重ねた状態で一応の固定を行うことができたが、押さえ部材をネット及びスクリーンと共に係止用溝に押入するとき、係止用溝の対向する内向き突縁の両側先端に均等に押圧力を作用させることは困難であって、いずれか一方の突縁側に強く当たりやすく、その場合にはゴム紐状の押さえ部材が強く当たっている部分を中心にして回転してねじれが生じ、このねじれが生じた場合、ゴム紐状の押さえ部材とスクリーンとの間の摩擦力がネットとスクリーンとの間の摩擦力よりも大きいので、ネットに対してスクリーンが相対移動しやすく、それが原因でスクリーンにしわが生じやすく、防虫ネットはピンと綺麗に張れても、花粉除けスクリーンにはしわが生じることがわかった。
【０００６】
また、上記防虫ネット及び花粉除けスクリーンの張設後においても、花粉除けスクリーンに対してそれを係止用溝から抜き出す方向の力が作用すると、該スクリーンに作用する力によりゴム紐状の押さえ部材が係止用溝内で回転し、結果的に花粉除けスクリーンにしわが生じることになり、ピンと綺麗に張った状態を安定的に保持することができない。
【特許文献１】登録実用新案第３０９９７０９号公報
【発明の開示】
【発明が解決しようとする課題】
【０００７】
本発明は、空気は通過するが花粉は殆ど通過さないメッシュの花粉除けスクリーンを枠体に綺麗に、しかも安定的に張設することを課題とするものである。
【課題を解決するための手段】
【０００８】
上記課題を解決するための本発明に係る花粉除け網戸は、方形の枠体の一面の内周に、内向き突縁により口部を狭窄化した係止用溝が形成され、該枠体の上記一面に防虫用ネットが外接され、花粉を殆ど透過させないメッシュの花粉除けスクリーンが該防虫用ネットに重ねられ、上記防虫用ネットと花粉除けスクリーンが重ねられた状態で、それらが押さえ部材と共に上記係止用溝への押入により固定されている花粉除け網戸であって、上記押さえ部材は、係止用溝を覆う覆板に、該係止用溝に対してその内向き突縁にそれぞれ圧接する状態で嵌る２条の弾性変形可能な脚部を備えることにより構成され、該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備えることを特徴とするものである。
【０００９】
また、上記課題を解決するための本発明に係る花粉除けスクリーンの張設方法は、上述した花粉除け網戸においてスクリーンを張設するに際し、次の工程（ａ）ないし（ｅ）を含むことを特徴とするものである。
（ａ）  枠体上に、防虫用ネットを該枠体側に配置し、その上側に花粉除けスクリーンを重ねる工程。
（ｂ）  重ねられた防虫用ネット及び花粉除けスクリーンを押さえ部材で押圧し、係止用溝の内向き突縁の先端と押さえ部材の脚部先端における上記係止突部の斜面との間に上記ネット及びスクリーンを挟んで、該ネット及びスクリーンの係止用溝への押入部位を位置決めする工程。
【００１０】
（ｃ）  方形の枠体の対辺において防虫用ネット及び花粉除けスクリーンが押さえ部材により係止用溝に固定されていない場合には、上記位置決めが行われた状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺が係止用溝に固定されている場合には、枠体上に防虫用ネット及び花粉除けスクリーンを平坦に敷設した状態で、係止用溝の内向き突縁と押さえ部材の斜面との間に挟まれた押入部位を押さえ部材の２条の脚部先端に当接保持させたまま、その押入部位の両側部分を係止用溝に引き込ませながら押入し、上記対辺側のネット及びスクリーンの上記引き込みにより、防虫用ネット及び花粉除けスクリーンに張りをもたせた状態に押さえ部材を押入する工程。
（ｄ）  押さえ部材の係止突部を係止用溝の内向き突縁の内側まで押入し、押さえ部材の係止突部の係止縁を係止用溝の内向き突縁の内側に係止する工程。
（ｅ）  押さえ部材の外側にある防虫用ネット及び花粉除けスクリーンの端部を切除する工程。
【００１１】
上記方法においては、枠体上に防虫用ネット及び花粉除けスクリーンを平坦に敷設する際の該ネット及びスクリーンの引き延ばし状態により、最終的な上記ネット及びスクリーンの張設状態を設定することができる。
【００１２】
上述した花粉除け網戸においては、押さえ部材が、係止用溝の内向き突縁にそれぞれ圧接する状態で嵌る２条の弾性変形可能な脚部を備え、該脚部には、その先端部外側に、上記係止用溝への押入時に係止用溝の内向き突縁の先端に接する斜面を有し、且つ、押さえ部材の係止用溝への押入完了時に上記突縁の内側に係止する係止縁を有する係止突部を備え、この押さえ部材が、特に防虫用ネット及び花粉除けスクリーンを重ねて張設する場合にそれらの固定に有効に機能するので、薄くて滑りやすいことから張設が困難である花粉除けスクリーンを、しわがなくピンと張った状態に綺麗に張ることができる。
【発明の効果】
【００１３】
本発明では、空気は通過するが花粉は殆ど通過さないメッシュの花粉除けスクリーンを枠体にピンと張った状態に綺麗に張設することができ、しかも、張設後に該スクリーンに外力が作用してもしわが生じることがない。
【発明を実施するための最良の形態】
【００１４】
図１及び図２は、本発明に係る花粉除け網戸の実施例を示している。この網戸は、窓枠などの建物開口部に固定的に、あるいは摺動自在に配設されるものである。
上記網戸は、四辺を構成するアルミニウム製の横枠部材１１ａ及び縦枠部材１１ｂにより方形に形成された枠体１１と、該枠体１１に張設された防虫用ネット１２及び花粉除けスクリーン１３と、該ネット１２及びスクリーン１３を枠体１１に固定するための押さえ部材１４とを備えている。上記防虫用ネット１２は、ポリエステル繊維あるいはポリプロピレン繊維等を用い、平織あるいはラッセル織により形成されたものであり、また、上記花粉除けスクリーン１３は、前記特許文献１に記載されているところの花粉を殆ど透過させないメッシュを有する織物である。いずれも、各種の布と同様に、引張により若干の伸びを示すものである。
【００１５】
上記枠体１１を構成する横枠部材１１ａ及び縦枠部材１１ｂには、その一面の内周側に形成した凹段部に係止用溝１８が形成されている。この係止用溝１８は、その口部が左右一対の内向き突縁１９により狭窄化されたものである。そして、上記防虫用ネット１２及び花粉除けスクリーン１３は、該枠体１１の係止用溝１８を設けた一面上に防虫用ネット１２を外接させ、花粉除けスクリーン１３が該防虫用ネット１２に重ねられ、それらが重ねられた状態で押さえ部材１４と共に係止用溝１８に押入され、枠体１１の前面に防虫用ネット１２及び花粉除けスクリーン１３が重ねられた状態で張設される。なお、上記係止用溝１８及び押さえ部材１４としては、防虫網戸として使用されているサイズのものが適している。
【００１６】
上記押さえ部材１４は、合成樹脂の押出し成形により形成され、図４に示すように、係止用溝１８を覆う覆板１５に、該係止用溝１８に対してその内向き突縁１９にそれぞれ先端部が圧接する状態で嵌る２条（一対）の弾性変形可能な脚部１６を一体的に備えることにより構成されたものである。そして、該脚部１６には、その先端部外側に、上記係止用溝１８への押入時に該係止用溝１８の内向き突縁１９の先端に接する斜面１６ｂを有し、且つ、該押さえ部材１４の係止用溝１８への押入完了時に上記突縁１９の内側に係止する係止縁１６ｃを有する係止突部１６ａを備えている。
【００１７】
次に、上記花粉除け網戸における押さえ部材１４の作用を、花粉除けスクリーンの張設方法と共に説明する。
上述した花粉除け網戸において花粉除けスクリーン１３を張設するに際しては、前述した工程（ａ）ないし（ｅ）を含む作業を行うことになる。それを更に具体的に説明すると、まず、枠体１１上に、防虫用ネット１２を載置し、その上に花粉除けスクリーン１３を重ねて載置する。
【００１８】
次いで、押さえ部材１４を一つの係止用溝１８上において重ねられた防虫用ネット１２及び花粉除けスクリーン１３の上に置き、上記ネット１２及びスクリーン１３を押さえ部材１４で係止用溝１８に対して押圧する。これにより、係止用溝１８の内向き突縁１９の先端と押さえ部材１４の脚部１６の先端における上記係止突部１６ａの斜面１６ｂとの間に上記ネット１２及びスクリーン１３が挟まれ、そのため、該ネット１２及びスクリーン１３の係止用溝１８への押入部位が位置決めされる。
【００１９】
そして、方形の枠体１１の対辺において防虫用ネット１２及び花粉除けスクリーン１３が押さえ部材１４により係止用溝１８に固定されていない場合には、上記位置決めが行われた状態で、係止用溝１８の内向き突縁１９と押さえ部材１４の斜面１６ｂとの間に挟まれた押入部位を、押さえ部材１４の２条の脚部１６の先端に当接保持させたまま、その押入部位の両側部分を係止用溝１８に引き込ませながら押さえ部材１４を係止用溝１８に押入する。
【００２０】
一方、上記対辺が係止用溝１８に固定されている場合には、枠体１１上に防虫用ネット１２及び花粉除けスクリーン１３を平坦に敷設した状態で、具体的には、該ネット１２及びスクリーン１３に格別の張りを与えることなく、しかしながら、過大な弛みも与えることなく、軽く引き延ばした状態で、係止用溝１８上においてスクリーン１３上に押さえ部材１４の脚部１６を押当て、係止用溝１８の内向き突縁１９と押さえ部材１４の斜面１６ｂとの間に挟まれたネット１２及びスクリーン１３の押入部位を、押さえ部材１４の２条の脚部先端に当接保持させたまま、その押入部位の両側部分を係止用溝１８に引き込ませながら押入する。
【００２１】
この押さえ部材１４の押入時には、防虫用ネット１２及び花粉除けスクリーン１３に張りを与える必要があるが、この張りは、押さえ部材１４の係止用溝１８に対する押入で、先に固定されている対辺側のネット１２及びスクリーン１３を引き込むことにより与えられるものである。したがって、押さえ部材１４の押入に際して、上述したネット１２及びスクリーン１３を平坦に敷設し、軽く引き延ばした状態とは、ネット１２及びスクリーン１３に上記押さえ部材１４による引き込み分の余裕を与えた状態である。但し、上記ネット１２及びスクリーン１３は若干の伸びを与えた状態で張設するので、上記余裕は押さえ部材１４による引き込み分よりも伸びの分だけ短いものでよい。そして、ネット１２及びスクリーン１３の実際の張設作業において、該ネット１２及びスクリーン１３を軽く引き延ばした状態で最終的に適度な張りを与え得ることを確かめている。
【００２２】
なお、上記ネット１２及びスクリーン１３の張設に際しては、枠体１１上に防虫用ネット１２及び花粉除けスクリーン１３を軽く引き延ばして平坦に敷設するが、その際の該ネット１２及びスクリーン１３の引き延ばし状態により、最終的な上記ネット１２及びスクリーン１３の張設状態を設定することができる。
【００２３】
このように、防虫用ネット１２及び花粉除けスクリーン１３に張りをもたせた状態に押さえ部材１４で固定するためには、該押さえ部材１４は、ネット１２及びスクリーン１３が係止用溝１８と直交する方向にずれるのを許容しないものであることが必要である。そのため、押さえ部材１４の脚部１６には、上記係止用溝１８への押入時に該係止用溝１８の内向き突縁１９の先端に接する斜面１６ｂを設けて、押さえ部材１４の押入時におけるネット１２及びスクリーン１３のずれ動きを防止し、更に、該押さえ部材１４の係止用溝１８への押入完了時に上記突縁１９の内側に係止する係止縁１６ｃを設けて、係止突部１６ａを係止用溝１８の内向き突縁１９の内側まで押入したとき、上記係止縁１６ｃが該内向き突縁１９の内側に係止するようにしている。
【００２４】
このような張設作業の結果、上記ネット１２及びスクリーン１３は緊張状態で綺麗に張ることができ、張設後に多少の外力が作用しても、しわになることはない。
そして、枠体１１の四周についての押さえ部材１４による固定を行ったうえで、押さえ部材１４の外側にある防虫用ネット１２及び花粉除けスクリーン１３の端部を切除することにより、それらの張設作業が完了する。
【００２５】
上記押さえ部材１４の脚部１６の動作についての説明を補足すると、該脚部１６を係止用溝１８に押入するときには、押さえ部材１４の係止突部１６ａの斜面１６ｂが、ネット１２及びスクリーン１３を介して係止用溝１８の内向き突縁１９の先端に当接し、押さえ部材１４に加わる押圧力により押さえ部材１４の脚部１６が内側に弾性変形しながら押入される。脚部１６の係止突部１６ａの全体が係止用溝１８の内向き突縁１９の内側を通過すると、脚部１６がほぼ元の形に戻り、上記係止縁１６ｃが係止用溝１８の内向き突縁１９の内側にネット１２及びスクリーン１３を介して係止され、押さえ部材１４の抜け出しが防止される。
【００２６】
以上に述べたところから明らかなように、上記花粉除け網戸においては、防虫ネット１２に花粉除けスクリーン１３を重ねて網戸の枠体１１に張設するに際し、係止用溝１８の内向き突縁１９にそれぞれ圧接する状態で嵌る一対の弾性変形可能な脚部１６の先端部外側に、上記係止用溝１８への押入時に係止用溝１８の内向き突縁１９の先端に接する斜面１６ｂを有し、且つ、押さえ部材１４の係止用溝１８への押入完了時に上記突縁１９の内側に係止する係止縁１６ｃを有する係止突部１６ａを備える押さえ部材１４を用いているので、該ネット１２及びスクリーン１３を容易にピンと張った状態に綺麗に張設することができる。
【図面の簡単な説明】
【００２７】
【図１】本発明に係る花粉除け網戸の実施例の分解斜視図である。
【図２】上記実施例の一部正面図である。
【図３】図３における矢印Ａ方向に見た断面図である。
【図４】上記実施例における押さえ部材の断面図である。
【図５】テストに供した押さえ部材の断面図である。
【符号の説明】
【００２８】
１１    枠体
１２    防虫用ネット
１３    花粉除けスクリーン
１４    押さえ部材
１８    係止用溝